(57)【要約】【課題】高精度かつ簡単な構造で、装着された光源装置を検出及び装着された光源装置の種類を検出する検出手段、かつ光源装置に応じた冷却手段を備えたプロジェクターを提供する。【解決手段】発光管と、前記発光管が固定され、光束を反射するリフレクターと、前記リフレクターを保持する保持部を備える光源装置と、複数の前記光源装置に対応したランプ電力を発生させることが可能なランプバラストユニットと、前記発光管を冷却するための冷却ファンと、を備えたプロジェクターにおいて、前記プロジェクターに装着された光源装置を検出および装着された光源装置の種類を検出する検出手段と、前記検出手段によって検出された光源装置の種類に応じてランプバラストユニットと前記冷却ファンを制御する制御手段とを有し、前記保持部は、吸気口を有し、前記冷却ファンは、前記吸気口に対向する位置に配置される。【選択図】図２
2012108342.tif 000002
【特許請求の範囲】
【請求項１】
発光管と、
前記発光管が固定され、光束を反射するリフレクターと、
前記リフレクターを保持する保持部を備える光源装置と、
複数の前記光源装置に対応したランプ電力を発生させることが可能なランプバラストユニットと、
前記発光管を冷却するための冷却ファンと、
を備えたプロジェクターにおいて、
前記プロジェクターに装着された光源装置を検出および装着された光源装置の種類を検出する検出手段と、
前記検出手段によって検出された光源装置の種類に応じてランプバラストユニットと前記冷却ファンを制御する制御手段とを有し、
前記保持部は、吸気口を有し、
前記冷却ファンは、前記吸気口に対向する位置に配置されることを特徴とするプロジェクター。
【請求項２】
前記保持部は、反射部を有し、
前記反射部は、前記検出手段に対応する位置に設定されることを特徴とする請求項１に記載のプロジェクター。
【請求項３】
前記保持部は、突起部を有し、
前記突起部は、前記検出手段に対応する位置に設定されることを特徴とする請求項１に記載のプロジェクター。
【請求項４】
前記吸気口は、前記光源装置の種類に応じて、開口面積が違うことを特徴とする請求項１から３のいずれか一項に記載のプロジェクター。
【請求項５】
前記検出手段は、フォトインタラプターであることを特徴とする請求項１から３のいずれか一項に記載のプロジェクター。
【発明の詳細な説明】
【技術分野】
【０００１】
本発明は、プロジェクターに関する。
【背景技術】
【０００２】
従来、プロジェクターの照度を変化させたい場合と、プロジェクター用光源装置の寿命が切れた場合は光源装置を交換する必要がある。
プロジェクター全体を制御するＣＰＵは光源装置を制御するランプバラストユニットも制御する。
【０００３】
特に照度を変化させるために、光源装置を交換する場合、ランプバラストユニットは光源装置を制御するために、ランプバラストユニットを制御するＣＰＵにどのような種類の光源装置を装着させたかを認識させる必要がある。
【０００４】
ランプバラストユニットを制御するＣＰＵに装着した光源装置の種類を認識させる手段としてマイクロスイッチを利用する手段がある。
【先行技術文献】
【特許文献】
【０００５】
【特許文献１】特開２００５−３０９０２３号公報
【発明の概要】
【発明が解決しようとする課題】
【０００６】
しかしながら、上記のマイクロスイッチを利用し光源装置の種類をＣＰＵに認識させる方法は構造の複雑性と検査の低精度と摩損により寿命が短いという課題がある。また、光源装置の種類を認識し、出力電圧を制御するのみで、定格電力の差による、温度上昇に対応する手段がない。
【０００７】
そこで本発明は、上記課題の少なくとも一部を解決するためになされたものであり、高精度かつ簡単な構造で、装着された光源装置を検出、及び装着された光源装置の種類を検出する検出手段、かつ光源装置に応じた冷却手段を備えたプロジェクターを提供することを目的とする。
【課題を解決するための手段】
【０００８】
本発明のプロジェクターは、発光管と、前記発光管が固定され、光束を反射するリフレクターと、前記リフレクターを保持する保持部を備える光源装置と、複数の前記光源装置に対応したランプ電力を発生させることが可能なランプバラストユニットと、前記発光管を冷却するための冷却ファンと、を備えたプロジェクターにおいて、前記プロジェクターに装着された光源装置を検出および装着された光源装置の種類を検出する検出手段と、前記検出手段によって検出された光源装置の種類に応じてランプバラストユニットと前記冷却ファンを制御する制御手段とを有し、前記保持部は、吸気口を有し、前記冷却ファンは、前記吸気口に対向する位置に配置されることを特徴とする。
【０００９】
この構成によれば、簡易な構成で、光源装置の種類も簡単に検出し、検出結果に応じて、電源、および冷却ファンを制御することができる。
【００１０】
上記プロジェクターにおいて、前記保持部は、反射部を有し、前記反射部は、前記検出手段に対応する位置に設定されることを特徴とする。
この構成によれば、保持部に反射マークをつける簡易な構成で、光源装置の種類を検出できる。
【００１１】
上記プロジェクターにおいて、前記保持部は、突起部を有し、前記突起部は、前記検出手段に対応する位置に設定されることを特徴とする。
この構成によれば、保持部に突起部をつける簡易な構成で、光源装置の種類を検出できる。
【００１２】
上記プロジェクターにおいて、前記吸気口は、前記光源装置の種類に応じて、開口面積が違うことを特徴とする。
この構成によれば、光源装置によって吸気口の開口面積が違うため、冷却ファンからの冷却空気を、光源装置に応じて、適切に冷却できる。
【００１３】
上記プロジェクターにおいて、前記検出手段は、フォトインタラプターであることを特徴とする。
この構成によれば、フォトインタラプターは高精度であるため、検出精度が高まる。
【図面の簡単な説明】
【００１４】
【図１】本実施形態に係るプロジェクターの概略構成を示す模式図。
【図２】本実施形態に係る光源装置の概略構成を示す図。
【図３】本実施形態に係る光源装置の概略構成を示す図。
【図４】本実施形態に係る光源装置の概略構成を示す図。
【図５】本実施形態に係る光源装置の概略構成を示す図。
【図６】本実施形態に係る光源装置の概略構成を示す図。
【図７】本実施形態に係る回路構成図。
【図８】本実施形態に係る光源装置の発光素子と検出器を示す図。
【図９】本実施形態に係る光源装置の種類を判別するフローチャート。
【発明を実施するための形態】
【００１５】
以下に、本発明の一実施形態について図面を参照して説明する。なお、参照する各図面において、構成をわかりやすく示すため、各構成要素の寸法の比率、角度等は適宜異ならせてある。
【００１６】
（第１実施形態）
＜プロジェクター＞
まず、本実施形態に係るプロジェクターについて、図１を参照して説明する。図１は、本実施形態に係るプロジェクターの概略構成を示す模式図である。本実施形態に係るプロジェクター１は、光源から射出される光束を画像情報に応じて変調してスクリーン等の投写面に拡大投写する。
【００１７】
図１に示すように、プロジェクター１は、ケース２と、光源装置１００と、照明光学装置２００と、色分離光学装置３００と、リレー光学装置４００と、電気光学装置５００と、投写光学装置６００と、冷却ファン７００とを備えている。各構成要素は、ケース２内に、略水平方向に配置され固定されている。
【００１８】
なお、プロジェクター１は、ケース２内における空間に、プロジェクター１内部の各構成部材に電力を供給する電源ユニット１６（図７参照）と、プロジェクター１内部の各構成部材を制御する制御装置（図示省略）とを、更に備えている。
【００１９】
光源装置１００は、光束を射出する発光管１０と、リフレクター２０と、平行化凹レンズ２２と、保持部３０とを備えている。照明光軸ＯＣは、光源装置１００から被照明領域側に射出される光束の中心軸である。平行化凹レンズ２２は、発光管１０からの集束光を略平行光として、照明光学装置２００に向けて射出する。なお、光源装置１００の詳細構成については後述する。
【００２０】
照明光学装置２００は、第１のレンズアレイ２１０と、第２のレンズアレイ２２０と、偏光変換素子２３０と、重畳レンズ２４０とを備えている。照明光学装置２００は、光源装置１００から射出された光束を複数の部分光束に分割し、各部分光束を略１種類の偏光光に揃えて、照明対象である３つの液晶装置５２０Ｒ，５２０Ｇ，５２０Ｂの光入射面上に重畳させる。
【００２１】
色分離光学装置３００は、第１のダイクロイックミラー３１０と、第２のダイクロイックミラー３２０と、反射ミラー３３０とを備えている。色分離光学装置３００は、照明光学装置２００から射出された光束を、赤色（Ｒ）光、緑色（Ｇ）光、青色（Ｂ）光の３色の色光に分離する。
【００２２】
リレー光学装置４００は、入射側レンズ４１０と、リレーレンズ４２０と、反射ミラー４３０，４４０とを備えている。リレー光学装置４００は、色分離光学装置３００で分離されたＢ光をＢ光用の液晶装置５２０Ｂまで導く。なお、本実施形態では、リレー光学装置４００がＢ光を導く構成としているが、これに限定されず、例えば、Ｒ光を導く構成としてもよい。
【００２３】
電気光学装置５００は、フィールドレンズ５１０Ｒ，５１０Ｇ，５１０Ｂと、入射側偏光板（図示省略）と、光変調装置としての液晶装置５２０Ｒ，５２０Ｇ，５２０Ｂと、射出側偏光板（図示省略）と、クロスダイクロイックプリズム５３０とを備えている。入射側偏光板および射出側偏光板は、液晶装置５２０Ｒ，５２０Ｇ，５２０Ｂ毎に設けられている。
【００２４】
液晶装置５２０Ｒ，５２０Ｇ，５２０Ｂは、色分離光学装置３００で分離された各色光を画像情報に応じて変調する。クロスダイクロイックプリズム５３０は、４つの直角プリズムを貼り合わせた平面視略正方形状をなし、直角プリズム同士を貼り合わせた界面には、２つの誘電体多層膜が形成されている。クロスダイクロイックプリズム５３０は、液晶装置５２０Ｒ，５２０Ｇ，５２０Ｂにて変調された各色光を合成し、投写光学装置６００側に射出する。
【００２５】
投写光学装置６００は、複数のレンズを組み合わせた組レンズで構成され、電気光学装置５００で変調され合成された光束をスクリーン等（図示省略）の投写面上に拡大投写する。
【００２６】
冷却ファン７００は、光源装置１００の吸気口３２（図２（ａ）、図３（ａ）参照）に対向するように配置されている。冷却ファン７００は、光源装置１００の発光管１０を冷却するための空気（以下では冷却風という）を送風する。冷却ファン７００は、例えば、シロッコファンで構成される。
【００２７】
プロジェクター１のケース２内において、光源装置１００が装着される部分には、光源装置１００が装着された状態において、光源装置１００の種類を検出するための、検出器が備えられている。
【００２８】
＜光源装置＞
次に、本実施形態に係る光源装置について、図２および図３を参照して説明する。以下の図および説明では、照明光軸ＯＣに沿う光束の進行方向をＸ方向とし、Ｘ方向に直交する方向のうち水平方向に沿い、かつ、Ｘ方向先端側から見て右方向をＹ方向とする。さらに、Ｘ方向およびＹ方向に直交し、かつ、据置き姿勢での上方向をＺ方向とする。すなわち、Ｘ，Ｙ，Ｚで示される各方向は、それぞれ互いに直交する。
【００２９】
図２および図３は、本実施形態に係る光源装置の概略構成を示す図である。詳しくは、図２（ａ）、図３（ａ）は据置き姿勢においてＸ方向先端側から見た図であり、図２（ｂ）、図３（ｂ）は、光源装置を−Ｚ方向基端側から見た図であり、図２（ｃ）は照明光軸ＯＣを含みＺ方向に沿う平面で切断したときの断面図である。
【００３０】
本実施形態に係る光源装置１００は、図２（ｂ）および図２（ｃ）に示すように、発光管１０と、リフレクター２０と、平行化凹レンズ２２と、保持部３０とを備えている。
【００３１】
発光管１０は、光を射出する管球部１１と、一対の封止部１２ａ，１２ｂと、一対の電極１３ａ，１３ｂと、一対の金属箔１４ａ，１４ｂと、一対のリード線１５ａ，１５ｂとを有している。発光管１０としては、高輝度発光する種々の発光管を採用でき、例えば、高圧水銀ランプ、超高圧水銀ランプ、メタルハライドランプ等を採用できる。
【００３２】
封止部１２ａ，１２ｂは、管球部１１から両端側に照明光軸ＯＣに沿って延出している。封止部１２ａは管球部１１の被照明領域側（光束が射出される側）に配置されており、封止部１２ｂは管球部１１の背面側（被照明領域側とは反対側）に配置されている。管球部１１および封止部１２ａ，１２ｂは、例えば石英ガラスからなり、一体に形成されている。管球部１１内には、例えば、水銀、希ガスおよび少量のハロゲンが封入されている。
【００３３】
電極１３ａ，１３ｂは、管球部１１内に封入された一端部同士が互いに対向するように配置されている。電極１３ａ，１３ｂは、例えば、タングステン等の金属からなる。金属箔１４ａ，１４ｂは、封止部１２ａ，１２ｂ内に封止されており、電極１３ａ，１３ｂとリード線１５ａ，１５ｂとに溶接等により電気的に接続されている。金属箔１４ａ，１４ｂは、例えば、モリブデン等の金属からなる。リード線１５ａ，１５ｂは、例えば、モリブデン、タングステン等の金属からなる。リード線１５ａ，１５ｂに電圧が印加されると、電極１３ａ，１３ｂ間に電位差が発生し、管球部１１内で放電が生じてアーク像が生成される。
【００３４】
発光管１０は発光することで発熱するが、熱対流等の影響により上部（Ｚ方向先端側）の方が下部よりも温度上昇が大きく、特に管球部１１の上部表面付近の温度が上昇し易い。冷却が不足して管球部１１の上部において温度が上がり過ぎると、管球部１１の基材が再結晶化することにより白濁が起きてしまう。
【００３５】
一方、冷却が過剰になって管球部１１の下部において温度が下がり過ぎると、電極１３ａ，１３ｂの基材のハロゲンサイクルが正常に行われず管球部１１の内壁に付着することにより黒化が起きてしまう。白濁や黒化が起きるとその部分が失透し、管球部１１から射出される光量が低下するとともに、管球部１１の温度が上昇して発光管１０の破損や劣化を招くこととなる。そのため、発光管１０を冷却する際は、管球部１１の上部側から冷却し、上部と下部とで温度差が生じないようにすることが望ましい。
【００３６】
また、被照明領域側に位置する封止部１２ａも温度上昇し易く、例えば、金属箔１４ａとリード線１５ａとの接続部等は温度上昇が大きい。これらの部分の冷却が不足すると、金属箔１４ａが酸化して黒化し、光束をより吸収し易くなってさらに温度が上昇して発光管１０の破損や劣化を招くおそれがある。そのため、発光管１０を冷却する際は、管球部１１だけでなく、封止部１２ａも効果的に冷却することが望ましい。
【００３７】
リフレクター２０は、発光管１０に対向する内面側に反射面を有する反射部を有している。リフレクター２０の材料としては、例えば、結晶化ガラスやアルミナ（Ａｌ2Ｏ3）等を好適に用いることができる。反射面には、例えば、酸化チタン（ＴｉＯ2）と酸化シリコン（ＳｉＯ2）との誘電体多層膜からなる可視光反射層が形成されている。
【００３８】
リフレクター２０の反射部は、例えば、楕円面を照明光軸ＯＣを回転中心軸として回転させた楕円球の略１／２の形状を有している。反射部は、発光管１０に対して第１焦点近傍に管球部１１が位置するように配置されており、管球部１１から射出された光を被照明領域側の第２焦点位置に向けて反射する。リフレクター２０の背面側には挿入孔が形成されており、この挿入孔に封止部１２ｂが挿通され、接着剤等によって固着されている。これにより、発光管１０がリフレクター２０に固定されている。
【００３９】
保持部３０は、リフレクター２０の周囲を囲むように設けられており、リフレクター２０を保持している。保持部３０は、例えば、耐熱性の合成樹脂材料等により略筒状に形成されている。
【００４０】
保持部３０は、冷却ファン７００からの冷却風の上流に位置する吸気口３２と、反射部３４とを備えている。
【００４１】
反射部３４は、後述する検出器４１，４２，４３の位置に合うようにマークが印刷されたラベルを貼付けるなどで対応している。
【００４２】
開口部３１は、保持部３０の被照明領域側先端の中央部に設けられている。開口部３１内には、平行化凹レンズ２２が保持されている。
【００４３】
吸気口３２は、リフレクター２０の被照明領域側、かつ、発光管１０の側方、すなわちＹ方向基端側に設けられている（図２（ａ）参照）。吸気口３２は冷却ファン７００（図１参照）に対向するように配置されており、冷却ファン７００から送風された冷却風は吸気口３２からＹ方向に沿って保持部３０内に導入される。
【００４４】
発光管１０の管球部１１と封止部１２ａとを冷却した冷却風は、排気口３３から保持部３０外へ排出される。
【００４５】
図７は、プロジェクターに設けられた光源装置を駆動するための回路の構成を示している。
ＡＣプラグは、電源ユニット１６に接続されている。電源ユニット１６は、プロジェクター１全体を制御する制御手段としてのＣＰＵ１７と、光源装置１００を駆動するためのランプバラストユニット３とに電力を供給する。
ランプバラストユニット３は、光源装置１００、ＣＰＵ１７、および冷却ファン７００に接続されている。
光源装置１００の装着部には、光源装置１００の種類を検出するための検出器４１，４２，４３が設けられており、検出器４１，４２，４３は、ＣＰＵ１７に接続されている。なお、検出器４１，４２，４３は、本発明の検出手段に相当する。
【００４６】
ＣＰＵ１７は、電源ユニット１６を制御するとともに、検出器４１，４２，４３からのオンオフ信号に基づいて、光源装置１００の種類（定格電力）を判別し、判別した光源装置１００の種類に関する情報を、ランプバラストユニット３に送信する。ＣＰＵ１７は、そのプログラム等を記憶するＲＯＭ１８、必要なデータを記憶するＲＡＭ１９を備えている。
【００４７】
この例では、光源装置１００内のランプとしては、超高圧水銀ランプが用いられている。光源装置１００の種類としては、この実施形態では、定格電力が２００Ｗ、２３０Ｗ、２７５Ｗのものがあるものとする。
【００４８】
光源装置１００の種類毎に、反射部３４の位置が異なっている。例えば、定格電力が２００Ｗの光源装置１００では、図４（ａ）に示すように、保持部３０下端面において中央より＋Ｙ方向側に反射部３４が設けられ、定格電力が２３０Ｗの光源装置１００では、図４（ｂ）に示すように、保持部３０の下端面において略中央に反射部３４が設けられ、定格電力が２７５Ｗの光源装置１００では、図４（ｃ）に示すように、保持部３０の下端面において中央より−Ｙ方向側に反射部３４が設けられている。
【００４９】
プロジェクター１の光源装置１００が装着される部分には、図８（ａ）に示すように、光源装置１００が装着された状態において、各位置に設けられた反射部３４を検出するための３つの検出器４１，４２，４３が設けられている。これらの検出器としては、反射型フォトインタラプター、またはフォトリフレクターの光センサーを用いる。
【００５０】
定格電力が２００Ｗの光源装置１００がプロジェクター１内に装着された際には、検出器４１のみがオンし、定格電力が２５０Ｗの光源装置１００がプロジェクター１内に装着された際には、検出器４２のみがオンし、定格電力が２７５Ｗの光源装置１００がプロジェクター１内に装着された際には、検出器４３のみがオンする。
【００５１】
図９は、ＣＰＵ１７によって行われる光源装置の種類を判別するフローチャートである。
【００５２】
まず、検出器４１がオンであるか否かを判別する（ステップＳ１）。検出器４１がオンである場合（Ｙｅｓ）には、定格電力が２００Ｗの光源装置１００がプロジェクター１内に装着されていると判定し、その光源装置１００の種類（定格電力）に関する情報をランプバラストユニット３に送信する（ステップＳ２）。
ランプバラストユニット３は、受信した光源装置１００の種類に基づいて、出力電力を制御し、当該光源装置１００の種類に応じたランプ電力を光源装置１００に供給し、またＣＰＵ１７は光源装置１００の種類に応じて冷却ファン７００を制御する。
【００５３】
上記ステップＳ１において、検出器４１がオフであると判別した場合（Ｎｏ）には、検出器４２がオンであるか否かを判別する（ステップＳ３）。検出器４２がオンである場合（Ｙｅｓ）には、定格電力が２３０Ｗの光源装置１００がプロジェクター１本体内に装着されていると判定し、その光源装置１００の種類（定格電力）に関する情報をランプバラストユニット３に送信する（ステップＳ４）。
ランプバラストユニット３は、受信した光源装置１００の種類に基づいて、出力電力を制御し、当該光源装置１００の種類に応じたランプ電力を光源装置１００に供給し、またＣＰＵ１７は光源装置１００の種類に応じて冷却ファン７００を制御する。
【００５４】
上記ステップＳ３において、検出器４２がオフであると判別した場合（Ｎｏ）には、検出器４３がオンであるか否かを判別する（ステップＳ５）。検出器４３がオンである場合（Ｙｅｓ）には、定格電力が２７５Ｗの光源装置１００がプロジェクター１本体内に装着されていると判定し、その光源装置１００の種類（定格電力）に関する情報をランプバラストユニット３に送信する（ステップＳ６）。
ランプバラストユニット３は、受信した光源装置１００の種類に基づいて、出力電力を制御し、当該光源装置１００の種類に応じたランプ電力を光源装置１００に供給し、またＣＰＵ１７は光源装置１００の種類に応じて冷却ファン７００を制御する。
【００５５】
上記ステップＳ５において、検出器４３がオフであると判別した場合（Ｎｏ）には、光源装置１００が装着されていないと判定し、ランプバラストユニット３へ電源が供給されないように、電源ユニット１６を制御する（ステップＳ７）。
【００５６】
図９における光源装置の種類判別処理は、主電源が入れられたときに、行うようにしてもよい。この場合には、ランプバラストユニット３はＣＰＵ１７によって判別された光源装置の種類を保持しておき、ランプ点灯指令が入力された際にその種別に応じたランプ電力を光源装置１００に供給し、冷却ファン７００を制御する。
【００５７】
なお、反射部３４を、１〜３個の範囲内で任意の数を設けることができるとすると、７種類の反射部パターンを形成することができるので、最大７種類の光源装置１００の種類を検出し判別することが可能である。
【００５８】
以上説明したように、保持部３０に簡単に反射部３４を備えることができる簡易な構成で、光源装置１００の種類を検出できる。
【００５９】
さらに、検出部４１，４２，４３として、反射型フォトインタラプター、またはフォトリフレクターを複数備えることにより、検出部４１，４２，４３からの光を反射部３４にて反射させ光源装置１００の種類を検出し、その検出結果に基づき、光源装置１００および、冷却ファン７００を制御でき、冷却効率を上げることができる。
【００６０】
（第２実施形態）
第１実施形態では、保持部３０に反射部３４を備えていたが、本実施形態では、図３（ａ）、図３（ｂ）に示すように、保持部３０に突起部３５を設け、図８（ｂ）に示すように検出器４１，４２，４３として透過型フォトインタラプターを備えている。その他の構成は第１実施形態と同じである。
本実施形態の構成においては、突起部３５が、検出器４１，４２，４３としての透過型フォトインタラプターの発光素子と受光素子との間に入り、投受光を遮ることで検出を行う。
【００６１】
本実施形態によれば、保持部３０に突起部３５を設ける簡易な構成で、光源装置１００の種類を検出することができる。
【００６２】
また、透過型フォトインタラプターは反射型フォトインタラプターに比べて光電流が大きいので、外乱光によるノイズに注意する必要がない。
【００６３】
また、光源装置１００の種類の検出結果に基づき、光源装置１００および、冷却ファン７００を制御でき、冷却効率をあげることができる。
【００６４】
（第３実施形態）
本実施形態では、保持部３０に設けられた吸気口３２の面積を、光源装置１００に応じて変えていることを特徴としている。例えば、図５示す定格電力の小さい２００Ｗの光源装置１００の場合は、吸気口３２の開口面積を図６に示す定格電力の大きい２７５Ｗの光源装置１００と比較して小さくする。この場合は、冷却ファン７００を光源装置１００に応じて制御をしなくてもよい。他の構成は、第１、第２実施形態と共通である。
【００６５】
本実施形態によれば、光源装置１００に応じて、吸気口３２の開口面積を変えているため、冷却効率を上げることができ、また光源装置１００に応じた冷却ファン７００の制御もすることなく冷却可能となり、より、簡易な構成で、冷却効率をあげることができる。
【００６６】
（変形例）
本実施形態では、冷却ファン７００の制御をＣＰＵ１７経由で行っていたが、ランプバラストユニット３を介して制御してもよい。
【００６７】
本変形例によれば、回路構成を簡略化することが可能となる。
【符号の説明】
【００６８】
１…プロジェクター、２…ケース、３…ランプバラストユニット、１０…発光管、１１…管球部、１２ａ，１２ｂ…封止部、１６…電源ユニット、１７…ＣＰＵ、２０…リフレクター、３０…保持部、３１…開口部、３２…吸気口、３４…反射部，３５…突起部、４１，４２，４３…検出器、１００…光源装置、５２０Ｒ，５２０Ｇ，５２０Ｂ…光変調装置としての液晶装置、６００…投写光学装置、７００…冷却ファン、ＯＣ…照明光軸。
【図１】
2012108342.tif 000003
【図２】
2012108342.tif 000004
【図３】
2012108342.tif 000005
【図４】
2012108342.tif 000006
【図５】
2012108342.tif 000007
【図６】
2012108342.tif 000008
【図７】
2012108342.tif 000009
【図８】
2012108342.tif 000010
【図９】
2012108342.tif 000011